(57)【特許請求の範囲】
【請求項１】
操作メニューを有し車両に搭載される車載機器と、
前記操作メニューの画像を表示する表示画面と、
前記車両の室内に設けられたステアリングホイールの中立位置での回転軸の左側のスポーク部において前記ステアリングホイールを把持した運転者の左手の指で操作可能な位置範囲内に配置されて前記操作メニューを操作する左側ステアリングスイッチと、
前記ステアリングホイールの中立位置での回転軸の右側のスポーク部において前記ステアリングホイールを把持した運転者の右手の指で操作可能な位置範囲内に配置されて前記操作メニューを操作する右側ステアリングスイッチと、
前記左側ステアリングスイッチと前記右側ステアリングスイッチとのうち何れかの操作に応じて前記表示画面の第１周縁から所定位置に向かって前記画像を前記表示画面に移動させた後に、前記所定位置で前記画像が停止するように表示させる表示制御手段と、
を備え、
前記第１周縁は、前記左側ステアリングスイッチ及び前記右側ステアリングスイッチが配置される相対的な位置関係に対応するように設定され、
前記画像が前記表示画面における前記所定位置で停止した状態において、前記画像の移動方向における、前記画像の第１端部と前記表示画面の前記第１周縁との隙間よりも、前記移動方向における、前記画像の前記第１端部の反対側の第２端部と前記表示画面の第２周縁との隙間の方が大きくなるように、前記所定位置が設定され、
前記左側ステアリングスイッチが操作された場合には、前記第１端部は、前記表示画面の左側端部に設定され、
前記右側ステアリングスイッチが操作された場合には、前記第１端部は、前記表示画面の右側端部に設定され、
前記表示画面は、運転者から見て前記車両の左右方向における位置が前記左側ステアリングスイッチと前記右側ステアリングスイッチとの間の位置となるように配置される、
ことを特徴とする車両用操作装置。
【請求項２】
前記表示画面は、前記車両のインスツルメントパネルに配置され、
前記表示制御手段は、前記画像を表示した場合に背景の輝度を徐々に低下させる、
ことを特徴とする請求項１に記載の車両用操作装置。
【請求項３】
前記画像が前記表示画面における前記所定位置で停止した状態において、前記操作メニューの前記画像の前記第１端部の位置と、前記表示画面の前記第１周縁の位置とが、同一である、
ことを特徴とする請求項１に記載の車両用操作装置。
【請求項４】
前記画像が前記表示画面における前記所定位置で停止した状態において、前記操作メニューの前記画像全体を縁取る端部のうち、前記第１端部のみが前記表示画面の前記第１周縁と接するように、前記操作メニューの前記画像が表示される
ことを特徴とする請求項１に記載の車両用操作装置。
【請求項５】
前記画像が、操作項目画像と前記操作項目画像を囲う項目枠画像とで構成され、
前記表示制御手段は、前記表示画面に前記画像を表示させる際に、前記画像のうち前記項目枠画像のみを前記表示画面の前記第１周縁から前記所定位置に向かって移動させると共に、前記項目枠画像が前記所定位置で停止した後に前記操作項目画像を表示させる、ことを特徴とする請求項１に記載の車両用操作装置。
【発明の詳細な説明】
【技術分野】
【０００１】
この発明は、車両用操作装置に関する。
本願は、２０１０年０８月２６日に、日本に出願された特願２０１０−１８９７２２号に基づき優先権を主張し、その内容をここに援用する。
【背景技術】
【０００２】
従来、例えばディスプレイに地図画像を表示している状態で運転者によりメニュー表示スイッチが操作されると、画面上側から地図画像を下側に押し出すようにして上下２分割でメニュー画像を表示させることで、メニュー画像の表示前の地図画像と、メニュー画像との対応を認識し易くする車両用表示装置が知られている（例えば、特許文献１参照）。
この車両用表示装置では、同乗者用スイッチが操作されると地図画像の押し出し方向と２分割による画像配置を上下逆にして表示することが記載されている。
【先行技術文献】
【特許文献】
【０００３】
【特許文献１】日本国特開２００２−３４０６００号公報
【特許文献２】日本国特開２０００−２４９５６８号公報
【発明の概要】
【発明が解決しようとする課題】
【０００４】
ところで、上記特許文献１に係る車両用表示装置によれば、地図画像とメニュー画像とが単に画面の２分割で表示されるだけであり、押し出しの表示を行なっている間に操作者が画面を視認していなければ、メニュー画像の表示前後の対応（つまり画面の遷移）を認識することができないという問題が生じる。また、メニュー表示スイッチおよび同乗者用スイッチの配置と地図画像の押し出し方向や２分割位置とが対応付けられていないことから、ディスプレイの表示がどのスイッチが操作されたことによる状態であるかを直感的に把握することができないという問題が生じる。【０００５】
また、上記特許文献２に係る装置によれば、スクロール表示を行なうときに間引き表示を行なうことから、操作者は間引きされた項目を視認することができず、利便性が損なわれてしまうという問題が生じる。【０００６】
本発明は上記事情に鑑みてなされたもので、メニュー表示がどのスイッチ操作によるかを操作者に瞬時に認識させることが可能な車両用操作装置の提供を目的とする。さらには、スクロール表示の利便性を向上させることが可能な車両用操作装置の提供を目的とする。
【課題を解決するための手段】
【０００７】
本発明は、上記課題を解決して係る目的を達成するために以下の手段を採用した。
すなわち、本発明の第１態様に係る車両用操作装置では、操作メニューを有し車両に搭載される車載機器と、前記操作メニューの画像を表示する表示画面と、前記車両の室内に設けられたステアリングホイールの中立位置での回転軸の左側のスポーク部において前記ステアリングホイールを把持した運転者の左手の指で操作可能な位置範囲内に配置されて前記操作メニューを操作する左側ステアリングスイッチと、前記ステアリングホイールの中立位置での回転軸の右側のスポーク部において前記ステアリングホイールを把持した運転者の右手の指で操作可能な位置範囲内に配置されて前記操作メニューを操作する右側ステアリングスイッチと、前記左側ステアリングスイッチと前記右側ステアリングスイッチとのうち何れかの操作に応じて前記表示画面の第１周縁から所定位置に向かって前記画像を前記表示画面に移動させた後に、前記所定位置で前記画像が停止するように表示させる表示制御手段と、を備え、前記第１周縁は、前記左側ステアリングスイッチ及び前記右側ステアリングスイッチが配置される相対的な位置関係に対応するように設定され、前記画像が前記表示画面における前記所定位置で停止した状態において、前記画像の移動方向における、前記画像の第１端部と前記表示画面の前記第１周縁との隙間よりも、前記移動方向における、前記画像の前記第１端部の反対側の第２端部と前記表示画面の第２周縁との隙間の方が大きくなるように、前記所定位置が設定され、前記左側ステアリングスイッチが操作された場合には、前記第１端部は、前記表示画面の左側端部に設定され、前記右側ステアリングスイッチが操作された場合には、前記第１端部は、前記表示画面の右側端部に設定され、前記表示画面は、運転者から見て前記車両の左右方向における位置が前記左側ステアリングスイッチと前記右側ステアリングスイッチとの間の位置となるように配置される。
【０００８】
さらに、本発明の第２態様に係る車両用操作装置では、前記表示画面は、前記車両のインスツルメントパネルに配置され、前記表示制御手段は、前記画像を表示した場合に背景の輝度を徐々に低下させることが好ましい。
【０００９】
さらに、本発明の第３態様に係る車両用操作装置は、前記画像が前記表示画面における前記所定位置で停止した状態において、前記操作メニューの前記画像の前記第１端部の位置と、前記表示画面の前記第１周縁の位置とが、同一であることが好ましい。
【００１０】
さらに、本発明の第４態様に係る車両用操作装置では、前記画像が前記表示画面における前記所定位置で停止した状態において、前記操作メニューの前記画像全体を縁取る端部のうち、前記第１端部のみが前記表示画面の前記第１周縁と接するように、前記操作メニューの前記画像が表示されることが好ましい。
【００１１】
さらに、本発明の第５態様に係る車両用操作装置は、前記画像が、操作項目画像と前記操作項目画像を囲う項目枠画像とで構成され、前記表示制御手段は、前記表示画面に前記画像を表示させる際に、前記画像のうち前記項目枠画像のみを前記表示画面の前記第１周縁から前記所定位置に向って移動させると共に、前記項目枠画像が前記所定位置で停止した後に前記操作項目画像を表示させることが好ましい。
【発明の効果】
【００１２】
本発明の第１態様に係る車両用操作装置によれば、表示画面に操作メニューの画像を表示するときに、スイッチの配置位置に対応する方向から操作メニューの画像をスライドさせて表示（スライド表示）する。これにより、どのスイッチが操作されたことで画面表示が切り替わったかを操作者が直感的に把握することができる。
また、操作メニューの画像が表示画面上で停止する位置が、操作されたスイッチの位置に応じた画像のスライドイン方向に応じて変更される。これにより、操作者がスライド表示を視認していなかった場合やスイッチ操作からしばらく時間が経過した場合であっても、現在表示されている操作メニューの画像がどのスイッチの操作により表示されたかを一目で認識させることができる。
操作メニューの画像が停止する位置は、例えば表示画面上における操作メニューの画像の占有位置が表示画面の第１周縁側にずれた位置や、表示画面の中心位置から第１周縁側の領域と第１周縁の反対側である第２周縁の領域とにおける操作メニューの画像の占有面積に対して、所定方向側の領域での占有面積の方が所定方向の反対側の領域での占有面積よりも大きくなるような位置などに変更される。上記占有面積とは、例えば、操作メニューの画像の移動方向に直交する境界線によって表示画面の領域を等分したときの各領域での面積である。
さらに、ステアリングホイールに左右対称にスイッチが取り付けられた場合に、表示画面に表示されている操作メニューの画像がどちらのスイッチが操作されたことで表示されているかを、より直感的に操作者が把握することができ、操作性がより一層向上する。
【００１３】
さらに、本発明の第３態様に係る車両用操作装置によれば、現在表示されている操作メニューの画像が、どの方向から移動した状態なのか（つまり、どのスイッチの操作により表示された操作メニューの画像か）をより認識し易くすることができる。
【００１４】
さらに、本発明の第４態様に係る車両用操作装置によれば、操作メニューの画像がスライド移動している間に表示画面を視認していなかった場合であっても、現在表示されている操作メニューの画像がどの方向から移動した状態なのか（つまり、どのスイッチの操作により表示された操作メニューか）を判別させることができ、さらに、利便性を向上させることができる。
【００１６】
さらに、本発明の第５態様に係る車両用操作装置によれば、どのスイッチが操作されたことで画面表示が切り替わったかの認識のし易さを確保しつつ、操作メニューの画像をスライド表示させる際の情報量過多による視覚的な煩わしさの発生を防止することができる。
【図面の簡単な説明】
【００１７】
【図１】本発明の第１の実施の形態に係る車両用操作装置の構成図である。
【図２】同車両用操作装置の左側回転操作部材および右側回転操作部材の配置例を示す図である。
【図３】同車両用操作装置の左側回転操作部材および右側回転操作部材の配置例を示す図である。
【図４】同車両用操作装置の左側回転操作部材の操作に伴う表示装置の表示例を示す図である。
【図５】本発明の第１の実施の形態の第１変形例に係る車両用操作装置の左側回転操作部材の操作に伴う表示装置の表示例を示す図である。
【図６】本発明の第１の実施の形態の第２変形例に係る車両用操作装置の左側回転操作部材の操作に伴う表示装置の表示例を示す図である。
【図７】本発明の第１の実施の形態の第３変形例に係る車両用操作装置の左側回転操作部材の操作に伴う表示装置の表示例を示す図である。
【図８】本発明の第１の実施の形態の第４変形例に係る車両用操作装置の左側回転操作部材の操作に伴う表示装置の表示例を示す図である。
【図９】本発明の第１の実施の形態の第５変形例に係る車両用操作装置の左側回転操作部材の操作に伴う表示装置の表示例を示す図である。
【図１０】本発明の第２の実施の形態に係る車両用操作装置の構成図である。
【図１１】同車両用操作装置の回転操作部材の配置例を示す図である。
【図１２】同車両用操作装置の回転操作部材の配置例を示す図である。
【図１３】同車両用操作装置の回転操作部材の操作に伴う表示装置の表示例を示す図である。
【発明を実施するための形態】
【００１８】
以下、本発明の第１の実施形態に係る車両用操作装置について添付図面を参照しながら説明する。
本実施の形態による車両用操作装置１０は、例えば図１に示すように、操作者により操作可能な左側回転操作部材１１Ｌおよび右側回転操作部材１１Ｒと、車載機器１２と、表示装置１３と、処理装置１４とを備えて構成されている。
【００１９】
左側回転操作部材１１Ｌおよび右側回転操作部材１１Ｒは、例えば、図３に示すように、回転操作に加えてプッシュ操作およびチルト操作が可能な回転型ホイール２１を備えるロータリースイッチである。左側回転操作部材１１Ｌおよび右側回転操作部材１１Ｒは、ロータリーエンコーダ２２と、プッシュスイッチ２３と、左チルトスイッチ２４と、右チルトスイッチ２５とを備えて構成されている。
【００２０】
左側回転操作部材１１Ｌは、例えば図２、図３に示すように、中立位置（つまり車両の直進状態における位置）のステアリングホイール３１のスポーク部３２においてステアリングホイール３１の回転軸Ｏの左側の位置（例えば、回転軸Ｏを中心として左右対称の位置など）に配置された左側ステアリングスイッチである。一方、右側回転操作部材１１Ｒは、例えば図２、図３に示すように、ステアリングホイール３１のスポーク部３２においてステアリングホイール３１の回転軸Ｏの右側の位置に配置された右側ステアリングスイッチである。
また、本実施形態において、左側回転操作部材１１Ｌと右側回転操作部材１１Ｒとが、例えば、ステアリングホイール３１の回転軸Ｏを中心として左右対称に配置されている。そして、ステアリングホイール３１を把持した運転者の左右の手の指（例えば、親指など）で操作可能な位置範囲内に配置されている。
【００２１】
左側回転操作部材１１Ｌおよび右側回転操作部材１１Ｒの回転型ホイール２１の外周部の一部は、スポーク部３２の表面上から外部に向かい（つまり、運転者に向かい）突出しており、操作者は指により回転型ホイール２１を操作することが可能である。回転型ホイール２１は、例えば、中立位置のステアリングホイール３１の上下方向に回転可能、かつ、中立位置のステアリングホイール３１の左右方向にチルト（傾動）可能、かつ、回転軸Ｏ方向にプッシュ（押圧）可能に構成されている。
【００２２】
ロータリーエンコーダ２２は、例えば、回転型ホイール２１の回転変位量と、回転角度と、回転方向とに応じた信号を出力する。
プッシュスイッチ２３は、回転型ホイール２１に対する押圧操作の有無に応じた信号を出力する。
左チルトスイッチ２４は、回転型ホイール２１に対する左方向への傾動操作の有無に応じた信号を出力する。
右チルトスイッチ２５は、回転型ホイール２１に対する右方向への傾動操作の有無に応じた信号を出力する。
【００２３】
車載機器１２は、例えば、ナビゲーション装置４１と、空調装置４２と、音響装置４３と、ルームミラーやサイドミラーの角度を調整するミラー角度調整装置４４と、照明装置（図示略）と、ワイパー（図示略）と、結露除去装置（図示略）と、運転支援装置（図示略）と、走行安全装置（図示略）となどである。
【００２４】
表示装置１３は、例えば、インスツルメントパネル５０に配置されたＭＩＤ（マルチインフォメーションディスプレイ）装置５１やＨＵＤ（ヘッドアップディスプレイ）装置５２などである。表示装置１３は、運転座席に着座した運転者から見て、車両の左右方向における位置が、左側回転操作部材１１Ｌと右側回転操作部材１１Ｒとの間の位置となるように配置されている。
【００２５】
なお、ＭＩＤ装置５１は、例えば、運転席前方のインスツルメントパネル５０に設けられた車速計５３およびエンジン回転数計５４などの計器類を備えるメータパネル部５５の中央部に配置された液晶表示装置である。ＭＩＤ装置５１には、車両の走行距離、車室内外の温度、燃費情報、車両の状態などの各種の車両情報が表示される。
【００２６】
また、ＨＵＤ装置５２は、例えば、運転席前方のフロントガラス５６の一部に画像（例えば、各種の車両情報などの画像）を投影表示し、あるいは、運転席前方のインスツルメントパネル５０の上方に画像（例えば、各種の車両情報などの画像）を虚像表示する。
【００２７】
処理装置１４は、例えば、信号処理部６１と、機器制御部６２と、表示制御部６３とを備えて構成されている。
【００２８】
信号処理部６１は、左側回転操作部材１１Ｌおよび右側回転操作部材１１Ｒのロータリーエンコーダ２２および各スイッチ２３〜２５から出力される信号を取得し、各回転操作部材１１Ｌ，１１Ｒに対する操作者の入力操作を検出する。信号処理部６１は、この検出結果の信号を機器制御部６２および表示制御部６３に出力する。
信号処理部６１は、例えば、入力操作検出部６５と、回転操作部材判定部６６とを備えて構成されている。
【００２９】
入力操作検出部６５は、例えば、ロータリーエンコーダ２２から出力された信号に基づき、回転型ホイール２１の回転変位量と、回転角度と、回転方向とを検出する。そして、入力操作検出部６５は、各スイッチ２３〜２５から出力された信号に基づき、回転型ホイール２１に対する押圧操作と、左右方向への傾動操作との有無を検出し、これらの検出結果の信号を機器制御部６２および表示制御部６３に出力する。
回転操作部材判定部６６は、左側回転操作部材１１Ｌまたは右側回転操作部材１１Ｒの何れかを操作者が操作したかを判定し、この判定結果の信号を機器制御部６２および表示制御部６３に出力する。
【００３０】
機器制御部６２は、入力操作検出部６５および回転操作部材判定部６６から出力された信号に応じて、車載機器１２の動作を制御するための指令信号を出力する。
表示制御部６３は、入力操作検出部６５および回転操作部材判定部６６から出力された信号に応じて、表示装置１３の動作を制御するための指令信号を出力する。
【００３１】
例えば、左側回転操作部材１１Ｌまたは右側回転操作部材１１Ｒの何れかの回転型ホイール２１に対する操作者の所定操作によって、制御対象とされる車載機器１２が選択される。この車載機器１２に対して予め設定されている複数の操作項目（操作メニュー）の表示が指示されると、表示制御部６３は、選択された車載機器１２の操作メニューの画像を表示装置１３の表示画面に表示させる。
【００３２】
このとき、表示制御部６３は、左側回転操作部材１１Ｌまたは右側回転操作部材１１Ｒの何れが操作されたかに応じて、表示画面に当該表示画面の所定方向から所定位置に向かう移動方向に操作メニューの画像を移動させる。その後に、表示制御部６３は、操作メニューの画像を所定位置で停止するようにして表示させる。
【００３３】
なお、表示画面の所定方向は、左側回転操作部材１１Ｌおよび右側回転操作部材１１Ｒが配置される相対的な位置関係に対応するように設定される。
例えば、左側回転操作部材１１Ｌが操作された場合には、長方形型の表示画面の左右方向で左側の方向（例えば、左縁５１Ｌに向かう方向）が所定方向に設定される。右側回転操作部材１１Ｒが操作された場合には、長方形型の表示画面の左右方向で右側の方向（例えば、右縁５１Ｒに向かう方向）が所定方向に設定される。
【００３４】
また、表示画面の所定位置は、操作メニューの画像が表示画面における所定位置で停止した状態において、移動方向における操作メニューの画像の所定方向側の端部と表示画面の周縁との隙間（例えば、ゼロなど）よりも、移動方向における操作メニューの画像の所定方向側とは反対側の端部と表示画面の周縁との隙間の方が大きくなるように設定される。
【００３５】
例えば、左側回転操作部材１１Ｌが操作された場合には、操作メニューの画像の左端と表示画面の左縁５１Ｌとの隙間よりも、操作メニューの画像の右端と表示画面の右縁との隙間の方が大きくなるように設定される。また、右側回転操作部材１１Ｒが操作された場合には、操作メニューの画像の右端と表示画面の右縁との隙間よりも、操作メニューの画像の左端と表示画面の左縁５１Ｌとの隙間の方が大きくなるように設定される。
【００３６】
移動方向における操作メニューの画像の所定方向側の端部と表示画面の周縁との隙間がゼロになる場合には、操作メニューの画像が表示画面における所定位置で停止した状態において、操作メニューの画像全体を縁取る端部のうち、所定方向側の端部のみが表示画面の周縁に接するように設定される。
【００３７】
また、操作メニューの画像は、例えば、操作項目の画像と該操作項目を囲う項目枠の画像とで構成されている。
表示制御部６３は、表示画面に操作メニューの画像を表示させる際には、先ず、操作メニューの画像のうち項目枠の画像のみを表示画面の所定方向から所定位置に向って移動させる。次に、項目枠の画像が所定位置で停止した以後に、表示制御部６３は、操作項目の画像を表示させる。
【００３８】
本実施の形態による車両用操作装置１０は上記構成を備えており、次に、この車両用操作装置１０の動作、特に、表示制御部６３の動作について説明する。
【００３９】
なお、以下においては、例えば、左側回転操作部材１１Ｌの回転型ホイール２１に対して操作者の所定操作が行われた場合の一例について説明する。
この場合、例えば、制御対象とされる車載機器１２としてナビゲーション装置４１が選択される。そして、例えば図４（Ａ）〜図４（Ｉ）に示すように、ナビゲーション装置４１に対して予め設定されている複数の操作項目（操作メニュー）として、ナビゲーション装置４１に接続された携帯電話端末（図示略）の発信時に選択可能な複数の電話番号の画像が、ＭＩＤ装置５１の表示画面５１Ａに表示される。
【００４０】
先ず、表示制御部６３は、例えば図４（Ａ）に示すように、左側回転操作部材１１Ｌに対して操作者が所定操作を行う前において、ＭＩＤ装置５１の表示画面５１Ａに単位走行距離当りの燃料消費量と、総走行距離と、シフトポジションとなどの各種情報を表示する。この各種情報は、所定の通常輝度である既定表示で表示される。  
【００４１】
次に、左側回転操作部材１１Ｌに対して操作者が所定操作（つまり、制御対象とされるナビゲーション装置４１の選択とナビゲーション装置４１に対して予め設定されている複数の操作項目（操作メニュー）の表示とを指示する操作）を行うと、例えば、順次、図４（Ｂ），図４（Ｃ），図４（Ｄ）に示すように、スライド表示が行われる。このスライド表示とは、操作メニューの画像を構成する操作項目の画像７２と該操作項目を囲う項目枠の画像７１とのうち、項目枠の画像７１のみを表示画面５１Ａの左縁（第１周縁）５１Ｌ、あるいは、右縁（第２周縁）５１Ｒから所定位置に向って所定方向に移動（スライドイン）させて表示させることである。第２周縁５１Ｒは、第１周縁５１Ｌの反対側の端部である。  
【００４２】
所定方向（つまりスライドイン方向）は、表示画面５１Ａの左右方向で左側の方向（例えば、左縁５１Ｌに向かう方向）である。
また、例えば図４（Ｄ）に示すように、移動方向である左右方向における項目枠の画像７１の右端部（第２端部）７１ａと表示画面５１Ａの右縁（周縁）５１Ｒとの間の隙間間隔Ｄ１は、項目枠の画像７１の左端部（第１端部）７１ｄと表示画面５１Ａの左縁（周縁）５１Ｌとの間の隙間間隔Ｄ２よりも大きい。すなわち、所定位置とは、隙間間隔Ｄ２（本実施形態ではゼロ）よりも隙間間隔Ｄ１の方が大きくなる位置である。また、左縁５１Ｌの位置と左端部７１ｄの位置とが、同じである。
また、項目枠の画像７１は、例えば背景色が濃い灰色であって白色の周縁を有する角丸四角形などの画像である。
また、操作項目の画像７２は、例えば背景色が項目枠の画像７１の背景色と同一であって白色または薄い灰色による電話番号を有する画像である。
【００４３】
このスライド表示を開始すると、これより以前から表示画面５１Ａで表示している既定表示のうち、項目枠の画像７１が干渉する領域（例えば、項目枠の画像７１が移動する周辺領域など）での既定表示（例えば、単位走行距離当りの燃料消費量の表示）５１ａの輝度を、徐々に通常輝度から所定値以下に低下させる。
そして、表示画面５１Ａにおける項目枠の画像７１の移動（スライドイン）に伴い、項目枠の画像７１が既定表示５１ａに重なる領域においては、既定表示５１ａを項目枠の画像７１で置き換える。これにより、既定表示５１ａのうち項目枠の画像７１で置き換えられる領域が徐々に増大する。
【００４４】
次に、例えば図４（Ｅ）に示すように、項目枠の画像７１を所定位置で停止させた以後に操作項目の画像７２を表示する。
操作項目の画像７２は、左側回転操作部材１１Ｌに対する所定操作に応じて複数の操作項目間を移動可能であり、かつ、各操作項目の選択状態（選択の有無）を強調表示の有無などで表示可能である選択指示画像７２ａを有している。選択指示画像７２ａによる強調表示は、例えば、電話番号を囲む枠の表示と、電話番号の表示色を他の電話番号の表示色である薄い灰色とは異なる白色での表示とである。ここで、所定操作とは、例えば、回転型ホイール２１に対する回転操作などである。操作項目とは、選択可能な複数の電話番号である。
【００４５】
次に、左側回転操作部材１１Ｌに対する所定操作（例えば、回転型ホイール２１に対する押圧操作など）に応じて複数の操作項目（つまり選択可能な複数の電話番号）のうちから何れか１つの操作項目の選択確定が指示されると、例えば図４（Ｆ）に示すように、この時点で選択指示画像７２ａによる強調表示で選択されている操作項目の表示色を反転させて表示する。つまり、背景色を濃い灰色から白色に変更し、電話番号を白色から濃い灰色に変更する。これによって、複数の操作項目の何れかを選択可能な状態から適宜の操作項目が選択された選択確定の状態へと表示を変化させる。
【００４６】
次に、左側回転操作部材１１Ｌに対する操作者の所定操作が終了すると、例えば、順次、図４（Ｇ），図４（Ｈ），図４（Ｉ）に示すように、操作メニューの画像を構成する操作項目の画像７２と該操作項目を囲う項目枠の画像７１とを表示画面５１Ａの所定位置から左縁５１Ｌに向って移動（スライドアウト）させてスライド表示を行なう。つまり、スライドアウト方向は、本実施形態では、表示画面５１Ａの左右方向で左側の方向、例えば左縁５１Ｌに向かう方向である。
【００４７】
このとき、表示画面５１Ａにおける項目枠の画像７１の移動（スライドイン）開始に伴って輝度を所定値以下に低下させる。つまり表示画面５１Ａで項目枠の画像７１が干渉する領域（項目枠の画像７１が移動する周辺領域など）での既定表示（例えば、単位走行距離当りの燃料消費量の表示）５１ａに対しては、徐々に輝度を通常輝度まで増大させる。
そして、表示画面５１Ａにおける項目枠の画像７１の移動（スライドアウト）に伴い、既定表示（例えば、単位走行距離当りの燃料消費量の表示）５１ａに対する項目枠の画像７１の重なりが徐々に解除される。最終的には項目枠の画像７１の重なりが無い通常輝度の既定表示５１ａに表示画面５１Ａは戻る。
【００４８】
上述したように、本実施の形態による車両用操作装置１０によれば、表示画面５１Ａに操作メニューの画像を表示するときに、左側回転操作部材１１Ｌまたは右側回転操作部材１１Ｒの配置位置に対応する方向から操作メニューの画像をスライドさせて表示（スライド表示）する。これにより、左側回転操作部材１１Ｌまたは右側回転操作部材１１Ｒの何れかを操作したことで、画面表示が切り替わったかを操作者に直感的に把握させることができる。
【００４９】
また、第１端部を左縁５１Ｌとしたが、第１端部は、複数のスイッチ（右側回転操作部材１１Ｒ及び左側回転操作部材１１Ｌ）が配置される相対的な位置関係に対応するように設定される。したがって、操作者が右側回転操作部材１１Ｒの操作を行った場合は、第１端部は、右縁５１Ｒである。
また、スライド表示において操作メニューの画像が表示画面５１Ａ上で停止する位置が、操作された左側回転操作部材１１Ｌまたは右側回転操作部材１１Ｒの位置に応じた画像のスライドイン方向に応じて変更される。これにより、操作者がスライド表示を視認していなかった場合や左側回転操作部材１１Ｌまたは右側回転操作部材１１Ｒの操作からしばらく時間が経過した場合であっても、現在表示されている操作メニューの画像がどの回転操作部材１１Ｌ，１１Ｒの操作により表示されたかを操作者に一目で認識させることができる。
操作メニューの画像が停止する位置は、例えば表示画面５１Ａ上における操作メニューの画像の占有位置が表示画面５１Ａの第１端部（本実施形態では、左縁５１Ｌ）側にずれた位置や、例えば表示画面５１Ａの中心位置から第１端部側の領域と、第１端部の反対側（第２端部）の領域とにおける操作メニューの画像の占有面積に対して、第１端部側の領域での占有面積の方が、第１端部の反対側の領域での占有面積よりも大きくなるような位置などに変更される。ここで、占有面積とは、例えば、操作メニューの画像の移動方向に直交する境界線によって表示画面５１Ａの領域を等分したときの各領域での占有面積などである。
【００５０】
さらに、操作メニューの画像の左端部７１ｄの位置と表示画面５１Ａの左縁５１Ｌの位置とが同じである。言い換えると、操作メニューの画像の左端部７１ｄと表示画面５１Ａの左縁５１Ｌとの隙間Ｄ２は、操作メニューの画像が表示画面５１Ａにおける所定位置で停止した状態においてゼロである。これにより、現在表示されている操作メニューの画像が、どの方向から移動した状態なのか（つまり、左側回転操作部材１１Ｌまたは右側回転操作部材１１Ｒの何れの操作により表示された操作メニューの画像であるのか）をより認識し易くすることができる。
【００５１】
さらに、操作メニューの画像が表示画面５１Ａにおける所定位置で停止した状態において、操作メニューの画像全体を縁取る端部のうち、所定方向側の端部のみが表示画面５１Ａの周縁に接する。したがって、操作メニューの画像がスライド移動している間に操作者が表示画面５１Ａを視認していなかった場合であっても、現在表示されている操作メニューの画像がどの方向から移動した状態なのかを操作者に判別させることができる。つまり、どのスイッチの操作により表示された操作メニューであるかを、操作者が判別することができる。さらに、利便性を向上させることができる。
【００５２】
さらに、表示装置１３は、運転座席に着座した運転者から見て、車両の左右方向における位置が、左側回転操作部材１１Ｌと右側回転操作部材１１Ｒとの間の位置となるように配置されている。左側回転操作部材１１Ｌが操作された場合には操作メニューの画像が表示画面５１Ａの左側からスライドインして、表示画面５１Ａの右縁に対して所定の隙間を残して停止している。右側回転操作部材１１Ｒが操作された場合には操作メニューの画像が表示画面５１Ａの右側からスライドインして、表示画面５１Ａの左縁５１Ｌに対して所定の隙間を残して停止する。これにより、表示画面５１Ａに表示されている操作メニューの画像が、左側回転操作部材１１Ｌまたは右側回転操作部材１１Ｒの何れが操作されたことで表示されているかを、より直感的に操作者に把握させることができ、操作性がより一層向上する。
【００５３】
さらに、項目枠の画像７１を所定位置で停止させた以後に操作項目の画像７２を表示する。これによって、左側回転操作部材１１Ｌまたは右側回転操作部材１１Ｒの何れが操作されたことで画面表示が切り替わったかの認識のし易さを確保しつつ、操作メニューの画像をスライド表示させる際の情報量過多による視覚的な煩わしさの発生を防止することができる。
【００５４】
なお、上述した実施の形態においては、項目枠の画像７１を所定位置で停止させた以後に操作項目の画像７２を表示するとしたが、これに限定されない。例えば項目枠の画像７１を所定位置で停止させた以後に操作項目の画像７２の輝度やコントラストや色の彩度を徐々に下限値（例えば、ゼロなど）から規定値まで増大させることでフェードインによる表示を行なってもよい。
以下、この第１変形例について、例えば上述した実施の形態と同様に左側回転操作部材１１Ｌの回転型ホイール２１に対して操作者の所定操作が行われた場合の一例について説明する。
【００５５】
表示制御部６３は、先ず、例えば図５（Ａ）〜図５（Ｄ）に示すように、上述した実施の形態での図４（Ａ）〜図４（Ｄ）に対応する動作と同じ動作を実行する。
次に、例えば、順次、図５（Ｅ），図５（Ｆ）に示すように、項目枠の画像７１を所定位置で停止させた以後に、操作項目の画像７２の輝度やコントラストや色の彩度を徐々に下限値（例えば、ゼロなど）から所定の規定値まで増大させることでフェードインにより操作項目の画像７２を表示する。
そして、操作項目の画像７２の輝度やコントラストや色の彩度が所定の規定値に到達した以後においては、例えば図５（Ｆ）〜図５（Ｊ）に示すように、上述した実施の形態での図４（Ｅ）〜図４（Ｉ）に対応する動作と同じ動作を実行する。
【００５６】
なお、上述した実施の形態においては、項目枠の画像７１のみをスライド表示して所定位置で停止させた以後に操作項目の画像７２を表示するとしたが、これに限定されない。例えば項目枠の画像７１と、輝度やコントラストや色の彩度を所定の規定値よりも低下させた視認可能な操作項目の画像７２とをスライド表示して所定位置で停止させた以後に、操作項目の画像７２の輝度やコントラストや色の彩度を規定値まで増大させてもよい。
以下、この第２変形例について、例えば上述した実施の形態と同様に左側回転操作部材１１Ｌの回転型ホイール２１に対して操作者の所定操作が行われた場合の一例について説明する。
【００５７】
表示制御部６３は、先ず、例えば図６（Ａ）に示すように、左側回転操作部材１１Ｌに対して操作者の所定操作が行われる前においては、ＭＩＤ装置５１の表示画面５１Ａに単位走行距離当りの燃料消費量と、総走行距離と、シフトポジションとなどの各種情報を表示する既定表示を行なう。
【００５８】
次に、左側回転操作部材１１Ｌに対して、操作者が所定操作を行うと、例えば図６（Ｂ）に示すように、表示画面５１Ａで項目枠の画像７１が干渉する領域（項目枠の画像７１が移動する周辺領域など）での既定表示（例えば、単位走行距離当りの燃料消費量の表示）５１ａの輝度を所定値以下に低下させる。ここで、所定操作とは、制御対象とされるナビゲーション装置４１の選択とナビゲーション装置４１に対して予め設定されている複数の操作項目（操作メニュー）の表示とを指示する操作である。
【００５９】
次に、例えば、順次、図６（Ｃ），図６（Ｄ），図６（Ｅ）に示すように、項目枠の画像７１と、輝度やコントラストや色の彩度を規定値よりも低下させた視認可能な操作項目の画像７２とを、表示画面５１Ａの左縁５１Ｌから所定位置に向って移動（スライドイン）させてスライド表示を行なう。つまり、表示画面５１Ａの左右方向で左側の方向、例えば左縁５１Ｌに向かう方向に、項目枠の画像７１と操作項目の画像７２とを移動させる。
輝度やコントラストや色の彩度を規定値よりも低下させた視認可能な操作項目の画像７２は、例えば背景色が項目枠の画像７１の背景色と同一であって薄い灰色による電話番号を有する画像である。
【００６０】
このとき、表示画面５１Ａにおける項目枠の画像７１の移動（スライドイン）に伴い、項目枠の画像７１が既定表示５１ａに重なる領域において、既定表示５１ａの輝度がゼロよりも大きい場合には、既定表示５１ａを項目枠の画像７１および操作項目の画像７２で置き換える。これにより、既定表示５１ａのうち項目枠の画像７１および操作項目の画像７２で置き換えられる領域が徐々に増大する。
【００６１】
次に、例えば、順次、図６（Ｅ），図６（Ｆ）に示すように、項目枠の画像７１と、輝度やコントラストや色の彩度を規定値よりも低下させた視認可能な操作項目の画像７２とを所定位置で停止させた以後に、操作項目の画像７２の輝度やコントラストや色の彩度を規定値まで増大させる。
そして、操作項目の画像７２の輝度やコントラストや色の彩度が規定値に到達した以後においては、例えば図６（Ｆ）〜図６（Ｊ）に示すように、上述した実施の形態での図４（Ｅ）〜図４（Ｉ）に対応する動作と同じ動作を実行する。
【００６２】
この第２変形例によれば、項目枠の画像７１がスライドインによりスライド表示されているタイミングにおいても、操作項目の画像７２を視認可能に表示する。これにより、操作された左側回転操作部材１１Ｌまたは右側回転操作部材１１Ｒに対してどのような操作メニューが対応付けられているかを操作者に一目で認識させることができる。
【００６３】
上述した実施の形態においては、操作メニューの画像全体を縁取る端部のうち、左端部７１ｄのみが表示画面５１Ａの左縁５１Ｌに接するとしたが、これに限定されない。操作メニューの画像全体を縁取る端部のうち、画像７１の左端部７１ｄに加えて、他の端部が表示画面５１Ａの周縁に接してもよい。ただし、他の端部は、移動方向における操作メニューの画像の左端部７１ｄ側の反対側の右端部７１ａ以外である。
以下、この第３変形例について、例えば上述した実施の形態と同様に左側回転操作部材１１Ｌの回転型ホイール２１に対して操作者の所定操作が行われた場合の一例について説明する。
【００６４】
表示制御部６３は、先ず、例えば図７（Ａ），図７（Ｂ）に示すように、左側回転操作部材１１Ｌに対して操作者の所定操作が行われたことに応じて、操作メニューの画像を構成する操作項目の画像７２と、この操作項目を囲う項目枠の画像７１とのうち、項目枠の画像７１のみを表示画面５１Ａの左端部７１ｄから所定位置に向って移動（スライドイン）させてスライド表示を行なう。つまり、表示画面５１Ａの左右方向で左側の方向、例えば左縁５１Ｌに向かう方向に項目枠の画像７１を移動させる。
このとき、操作メニューの画像全体を縁取る端部のうち上下方向の端部を形成する項目枠の画像７１の上下方向の上端部７１ｂ，下端部７１ｃを、表示画面５１Ａの周縁に接するように表示する。
【００６５】
そして、例えば図７（Ｃ）に示すように、項目枠の画像７１を所定位置で停止させた以後に操作項目の画像７２を表示する。
このとき、操作メニューの画像全体を縁取る端部のうち、項目枠の画像７１の上下方向の上端部７１ｂ，下端部７１ｃが表示画面５１Ａの周縁に接するように、項目枠の画像７１を表示すると共に、操作メニューの画像全体を縁取る端部のうち、項目枠の画像７１の左端部７１ｄが表示画面５１Ａの左縁（周縁）５１Ｌに接するように、項目枠の画像７１を表示する。
【００６６】
なお、上述した実施の形態においては、左側回転操作部材１１Ｌおよび右側回転操作部材１１Ｌの相対的な位置関係（つまり、左右方向で表示画面５１Ａを両側から挟み込む左右の位置）に対応して、表示画面５１Ａで操作メニューの画像を移動させる移動方向を左右方向としたが、これに限定されない。例えば左側回転操作部材１１Ｌおよび右側回転操作部材１１Ｌが、左右方向から傾いた斜め方向において表示画面５１Ａを両側から挟み込む位置に配置されている場合には、この斜め方向を操作メニューの画像の移動方向とする。
以下、この第４変形例について、例えば上述した実施の形態と同様に左側回転操作部材１１Ｌの回転型ホイール２１に対して操作者の所定操作が行われた場合の一例について説明する。
【００６７】
表示制御部６３は、先ず、例えば図８（Ａ）〜図８（Ｃ）に示すように、左側回転操作部材１１Ｌに対して操作者の所定操作に応じて、操作メニューの画像を構成する操作項目の画像７２と該操作項目を囲う項目枠の画像７１とのうち、項目枠の画像７１のみを表示画面５１Ａの左縁５１Ｌから所定位置に向って移動（スライドイン）させてスライド表示を行なう。
【００６８】
つまり、スライドイン方向は、表示画面５１Ａの斜め方向で左上縁に向かう方向である。
所定位置は、例えば図８（Ｄ）に示すように、移動方向である斜め方向における項目枠の画像７１の左上端７１ｆの対角方向の端部（右下端）７１ｅと表示画面５１Ａの周縁（右下縁）５１ｅとの間の隙間が、項目枠の画像７１の左上端７１ｆと表示画面５１Ａの左上縁５１ｆとの間の隙間よりも大きい位置である。
なお、項目枠の画像７１の左上端７１ｆと表示画面５１Ａの左上縁５１ｆとの間の隙間がゼロである場合には、操作メニューの画像全体を縁取る端部のうち、項目枠の画像７１の上端部７１ｂと表示画面５１Ａの上縁５１Ｕとが接するように表示させ、左端部７１ｄと表示画面５１Ａの左縁５１Ｌとが接するように表示する。
【００６９】
なお、上述した実施の形態においては、操作メニューの画像が表示画面における所定位置で停止した状態において、移動方向における操作メニューの画像の所定方向側の端部がグラデーションにより表示されてもよい。
以下、この第５変形例について、例えば上述した実施の形態および第３変形例および第４変形例と同様に左側回転操作部材１１Ｌの回転型ホイール２１に対して、操作者が所定操作した場合の一例について説明する。
【００７０】
表示制御部６３は、先ず、左側回転操作部材１１Ｌに対して、操作者の所定操作に応じて、操作メニューの画像を構成する操作項目の画像７２と操作項目を囲う項目枠の画像７１とのうち、項目枠の画像７１のみを表示画面５１Ａの左縁５１Ｌから所定位置に向って移動（スライドイン）させてスライド表示を行なう。スライドインさせる方向は、例えば、図９（Ａ），図９（Ｂ）での表示画面５１Ａの左縁５１Ｌから右縁５１Ｒに向かう左右方向であり、図９（Ｃ）での表示画面５１Ａの左上端５１ｆから右下端５１ｅに向かう斜め方向である。
そして、例えば図９（Ａ）〜図９（Ｃ）に示すように、項目枠の画像７１を所定位置で停止させた以後に操作項目の画像７２の左端部７１ｄがグラデーションとなるように表示する。
このグラデーションによる表示では、例えば、操作項目の画像７２の左端部７１ｄに向かうことに伴い、輝度が上限値に向かい増大する、あるいは下限値に向かい低下するように表示する。
【００７１】
この第５変形例によれば、現在表示されている操作メニューの画像がどの回転操作部材１１Ｌ，１１Ｒの操作により表示されたかを、より一層、容易に操作者に認識させることができる。
【００７２】
なお、上述した実施の形態において、左側回転操作部材１１Ｌおよび右側回転操作部材１１Ｌはロータリースイッチに限定されず、他のスイッチでもよい。
【００７３】
以下、本発明の第２の実施形態に係る回転入力装置について添付図面を参照しながら説明する。
本実施の形態による回転入力装置（車両用操作装置）１１０は、例えば車両に搭載され、図１０に示すように、操作者により操作可能な回転操作部材１１１Ｒ，１１１Ｌと、車載機器１１２と、表示装置１１３と、処理装置１１４と、車両状態センサ１１５とを備えて構成されている。
【００７４】
回転操作部材１１１Ｒ，１１１Ｌは、例えば、回転操作に加えてプッシュ操作およびチルト操作が可能な回転型ホイール１２１を備えるロータリースイッチである。回転操作部材１１１Ｒ，１１１Ｌは、ロータリーエンコーダ１２２と、プッシュスイッチ１２３と、左チルトスイッチ１２４と、右チルトスイッチ１２５とを備えて構成されている。
【００７５】
回転操作部材１１１Ｒ，１１１Ｌは、例えば図１１、図１２に示すように、中立位置（つまり車両の直進状態における位置）のステアリングホイール１３１のスポーク部１３２においてステアリングホイール１３１の回転軸Ｏの左側および右側の位置（例えば、回転軸Ｏを中心として左右対称の位置など）に配置された所謂ステアリングスイッチである。そして、ステアリングホイール１３１を把持した運転者の左右の手の指（例えば、親指など）で操作可能な位置範囲内に配置されている。
【００７６】
回転操作部材１１１Ｒ，１１１Ｌの回転型ホイール１２１の外周部の一部は、スポーク部１３２の表面上から外部に向かい（つまり、運転者に向かい）突出して、操作者が指により回転型ホイール１２１を操作することが可能である。回転型ホイール１２１は、例えば、中立位置のステアリングホイール１３１の上下方向に回転可能、かつ、中立位置のステアリングホイール１３１の左右方向にチルト（傾動）可能、かつ、回転軸Ｏ方向にプッシュ（押圧）可能に構成されている。
【００７７】
ロータリーエンコーダ１２２は、例えば、回転型ホイール１２１の回転変位量と、回転角度と、回転方向とに応じた信号を出力する。
プッシュスイッチ１２３は、回転型ホイール１２１に対する押圧操作の有無に応じた信号を出力する。
左チルトスイッチ１２４は、回転型ホイール１２１に対する左方向への傾動操作の有無に応じた信号を出力する。
右チルトスイッチ１２５は、回転型ホイール１２１に対する右方向への傾動操作の有無に応じた信号を出力する。
【００７８】
そして、回転操作部材１１１Ｒ，１１１Ｌは、回転型ホイール１２１に対する回転操作に対して、回転操作方向の所定角度毎に節度感を付与する節度感付与機構を備えている。
この節度感付与機構１２６は、例えば、クリックピン（図示略）と、突起部材（図示略）とを備えて構成されている。クリックピンは、回転型ホイール１２１を回転可能に支持する回転操作部材１１１Ｒ，１１１Ｌの本体（図示略）に設けられた弾性変形および弾性復帰が可能である。突起部材は、回転型ホイール１２１に設けられており、回転型ホイール１２１の所定角度毎の回転に伴ってクリックピンに接触し、クリックピンを弾性変形させる。
すなわち、この節度感付与機構１２６によれば、回転型ホイール１２１の所定角度毎の回転に伴って突起部材がクリックピンに接触して、クリックピンが弾性変形する。このときに、クリックピンの弾性力に起因する節度感が回転型ホイール１２１に付与される。そして、クリックピンの弾性変形によって、突起部材とクリックピンとの当接が解除されると、クリックピンは弾性復帰する。そして、回転型ホイール１２１が、さらに所定角度毎だけ回転したときに突起部材がクリックピンに当接するようになる。
【００７９】
車載機器１１２は、例えば、ナビゲーション装置１４１と、空調装置１４２と、音響装置１４３と、ルームミラーやサイドミラーの角度を調整するミラー角度調整装置１４４と、照明装置（図示略）と、ワイパー（図示略）と、結露除去装置（図示略）と、運転支援装置（図示略）と、走行安全装置（図示略）となどである。
【００８０】
表示装置１１３は、例えば、インスツルメントパネル１５０に配置されたＭＩＤ（マルチインフォメーションディスプレイ）装置１５１やＨＵＤ（ヘッドアップディスプレイ）装置１５２などである。表示装置１１３は、運転座席に着座した運転者から見て、車両の左右方向における位置が、左右の回転操作部材１１１Ｒ，１１１Ｌの間の位置となるように配置されている。
【００８１】
なお、ＭＩＤ装置１５１は、例えば、運転席前方のインスツルメントパネル１５０に設けられた車速計１５３およびエンジン回転数計１５４などの計器類を備えるメータパネル部１５５の中央部に配置された液晶表示装置である。ＭＩＤ装置１５１は、車両の走行距離、車室内外の温度、燃費情報、車両の状態などの各種の車両情報を表示する。
【００８２】
また、ＨＵＤ装置１５２は、例えば、運転席前方のフロントガラス１５６の一部に画像（例えば、各種の車両情報などの画像）を投影表示し、あるいは、運転席前方のインスツルメントパネル１５０の上方に画像（例えば、各種の車両情報などの画像）を虚像表示する。
【００８３】
車両状態センサ１１５は、例えば、車両の速度を検出する車速センサや、シフトポジションの位置に応じた信号を出力するシフトポジションスイッチや、ブレーキペダルスイッチや、パーキングブレーキスイッチなどを備えて構成されている。
【００８４】
処理装置１１４は、例えば、信号処理部１６１と、機器制御部１６２と、表示制御部１６３とを備えて構成されている。
【００８５】
信号処理部１６１は、回転操作部材１１１Ｒ，１１１Ｌのロータリーエンコーダ１２２および各スイッチ１２３〜１２５から出力される信号を取得し、回転操作部材１１１Ｒ，１１１Ｌに対する操作者の入力操作を検出する。信号処理部１６１は、この検出結果の信号を機器制御部１６２および表示制御部１６３に出力する。
信号処理部１６１は、例えば、入力操作検出部１６５を備えて構成されている。
【００８６】
入力操作検出部１６５は、例えば、ロータリーエンコーダ１２２から出力された信号に基づき、回転型ホイール１２１の回転変位量と、回転角度と、回転方向とを検出する。そして、入力操作検出部１６５は、各スイッチ１２３〜１２５から出力された信号に基づき、回転型ホイール１２１に対する押圧操作と、左右方向への傾動操作との有無を検出し、これらの検出結果の信号を機器制御部１６２および表示制御部１６３に出力する。
【００８７】
機器制御部１６２は、入力操作検出部１６５から出力された信号に応じて、車載機器１１２の動作を制御するための指令信号を出力する。
表示制御部１６３は、車両状態センサ１１５から出力された信号と、入力操作検出部１６５から出力された信号とに応じて、表示装置１１３の動作を制御するための指令信号を出力する。
【００８８】
表示制御部１６３は、例えば、回転操作部材１１１Ｒ，１１１Ｌの回転型ホイール１２１に対する操作者の所定の回転操作（例えば、１回の節度感が生じる所定角度だけ回転型ホイール１２１が回転する回転操作など）に応じて、表示装置１１３の表示画面での複数の項目のスクロール表示を制御している。ここで、所定の回転操作とは、例えば、１回の節度感が生じる所定角度だけ回転型ホイール１２１が回転する回転操作などである。
複数の項目のうち何れかの項目が所定の選択位置で所定の表示状態で停止した時に、停止した項目が選択されていることを示す表示（例えば、項目を囲う枠表示の追加や、輝度やコントラストや色の彩度を変更する強調表示など）を行なう。所定の表示状態は、例えば項目の輝度やコントラストや色の彩度を所定の規定値に設定する表示状態などである。
そして、表示制御部１６３は、例えば、選択可否判定部１６６を備えて構成されている。
【００８９】
例えば、表示装置１１３の表示画面の所定の選択位置に表示されている項目に隣接する項目である隣接項目のうち、回転操作部材１１１Ｒ，１１１Ｌの回転型ホイール１２１の回転方向と対応するスクロール方向に存在する隣接項目が選択可能な状態であるか否かを選択可否判定部１６６は判定し、判定結果の信号を出力する。
例えば、選択可否判定部１６６は、表示装置１１３の表示画面でスクロール表示される複数の項目毎に、車両状態センサ１１５により検出される車両の状態に応じて、選択可能または選択不可が対応付けられたマップなどのデータを予め記憶している。そして、車両状態センサ１１５から出力された信号に基づき、このデータを検索して、各項目が選択可能または選択不可であるかを判定する。上記車両の状態とは、例えば、車両が走行中であるか否か、シフトポジションがパーキング位置であるか否かなどである。
【００９０】
そして、表示制御部１６３は、回転型ホイール１２１が所定角度だけ回転したときに、隣接項目が選択可否判定部１６６により選択可能であると判定された場合には、当該隣接項目を表示装置１１３の表示画面の所定の選択位置で停止させるスクロール表示制御を行なう。
【００９１】
また、表示制御部１６３は、回転型ホイール１２１が所定角度だけ回転したときに、隣接項目が選択可否判定部１６６により選択不可であると判定された場合には、第１隣接項目を視認可能な表示状態で表示装置１１３の表示画面の所定の選択位置を通過させる。
表示制御部１６３は、選択位置に隣接項目を表示するときに、選択可否判定部１６６が選択不可であると判定した第１隣接項目は、選択可否判定部１６６が選択可能であると判定した第２隣接項目と視覚的に異なる表示状態となるように制御する。
このとき、選択可否判定部１６６により選択不可であると判定された第１隣接項目は、単に選択位置を通過させてもよいし、あるいは、所定時間だけ選択位置に停止させた後に選択位置を通過させてもよい。視覚的に異なる表示状態は、例えば第１隣接項目の輝度やコントラストや色の彩度を規定値よりも低下させる表示状態などである。
まず、スクロール方向に順次隣接して存在する項目を順次隣接項目とする。そして、選択位置を通過する隣接項目から順次隣接項目の何れかが選択可否判定部１６６により選択可能であると判定されるまでは、順次隣接項目を視認可能な表示状態で選択位置を順次通過させる。表示制御部１６３は、選択可否判定部１６６が選択可能であると判定した順次隣接項目を選択位置で停止させるスクロール表示制御を行なう。
【００９２】
第１スクロール速度は、選択位置に表示されている項目が選択位置から移動して、選択可否判定部１６６により選択不可であると判定された第１隣接項目が選択位置を通過して選択位置に移動する速度である。第２スクロール速度は、選択位置に表示されている項目が選択位置から移動して、選択可否判定部１６６により選択可能であると判定された第２隣接項目が選択位置で停止して選択位置に移動する速度である。表示制御部１６３は、第１スクロール速度より、第２スクロール速度の方が速くなるようにスクロール表示制御を行なう。
【００９３】
本第２の実施の形態による回転入力装置１１０は上記構成を備えており、次に、この回転入力装置１１０の動作、特に、表示制御部１６３の動作について説明する。
【００９４】
なお、以下においては、例えば、回転操作部材１１１Ｒ，１１１Ｌの回転型ホイール１２１に対して操作者の回転操作が行われた場合の一例について説明する。
この場合、例えば図１３（Ａ）〜図１３（Ｍ）に示すように、表示装置１１３の表示画面の所定の選択位置１１３Ａにおいて、複数の項目がスクロール表示されると共に、複数の項目のうち何れかの項目が所定の選択位置１１３Ａで停止することで、当該項目が選択されていることが表示される。
【００９５】
先ず、表示制御部１６３は、回転操作部材１１１Ｒ，１１１Ｌに対して操作者の所定の回転操作（例えば、１回の節度感が生じる所定角度だけ回転型ホイール１２１が回転する回転操作など）が行われるより前においては、例えば図１３（Ａ）に示すように、選択可否判定部１６６により選択可能であると判定された適宜の項目（Ａ）を表示装置１１３の表示画面の所定の選択位置１１３Ａで停止させて所定の強調表示を行なう。これにより、この項目（Ａ）が選択されていることを表示する待機状態を維持する。ここで、項目（Ａ）は、選択可否判定部１６６により選択可能であると判定された項目である。
【００９６】
次に、回転操作部材１１１Ｒ，１１１Ｌに対して、操作者が所定の回転操作（例えば、１回の節度感が生じる所定角度だけ回転型ホイール１２１が回転する回転操作など）を行う。例えば、順次、図１３（Ｂ），図１３（Ｃ）に示すように、隣接項目（Ｂ）をスクロールにより移動させて表示する。隣接項目（Ｂ）は、項目（Ａ）に対して回転型ホイール１２１の回転操作方向に対応するスクロール方向（例えば、表示画面の上下方向）に隣接して存在する項目である。
【００９７】
このとき、例えば車両状態センサ１１５の車速センサにより所定値以上の速度が検出されて車両が走行中であることが検知されたことなどに起因して、選択可否判定部１６６によって隣接項目（Ｂ）が選択不可であると判定される。そして、隣接項目（Ｂ）をスクロールにより移動させる速度（スクロール速度）を第１スクロール速度に設定する。さらに、この隣接項目（Ｂ）の輝度やコントラストや色の彩度を規定値よりも低下させる。
【００９８】
そして、例えば、順次、図１３（Ｄ），図１３（Ｅ），図１３（Ｆ）に示すように、隣接項目（Ｂ）を視認可能な表示状態で選択位置１１３Ａを通過させる。これに伴い、この隣接項目（Ｂ）に対して回転型ホイール１２１の回転操作方向に対応するスクロール方向（例えば、表示画面の上下方向）に隣接して存在する隣接項目（Ｃ）をスクロールにより移動させて表示する。
【００９９】
例えば、隣接項目（Ｂ）が選択位置１１３Ａを通過しているとき、選択可否判定部１６６によって隣接項目（Ｃ）が選択不可であると判定されると、隣接項目（Ｂ）が選択位置１１３Ａを通過した以後のタイミングにおいて、第１スクロール速度に設定する。さらに、この隣接項目（Ｂ）の輝度やコントラストや色の彩度を規定値よりも低下させる。
第１スクロール速度とは、隣接項目（Ｂ）が選択位置１１３Ａを通過した以後のタイミングにおいて、隣接項目（Ｃ）をスクロールにより移動させるスクロール速度である。
【０１００】
そして、例えば、順次、図１３（Ｇ），図１３（Ｈ）に示すように、隣接項目（Ｃ）を視認可能な表示状態で選択位置１１３Ａを通過させる。これに伴い、この隣接項目（Ｃ）に対して回転型ホイール１２１の回転操作方向に対応するスクロール方向（例えば、表示画面の上下方向）に隣接して存在する隣接項目（Ｄ）をスクロールにより移動させて表示する。
【０１０１】
例えば、隣接項目（Ｃ）が選択位置１１３Ａを通過しているとき、選択可否判定部１６６によって隣接項目（Ｄ）が選択可能であると判定されると、隣接項目（Ｃ）が選択位置１１３Ａを通過した以後のタイミングにおいて、第２スクロール速度に設定する。さらに、この隣接項目（Ｄ）の輝度やコントラストや色の彩度を規定値に設定する。
第２スクロール速度は、隣接項目（Ｄ）をスクロールにより移動させるスクロール速度を第１スクロール速度よりも速い。
【０１０２】
そして、図１３（Ｉ）に示すように、隣接項目（Ｄ）を選択位置１１３Ａで停止させる。次に、図１３（Ｊ）に示すように、隣接項目（Ｄ）に所定の強調表示を行なうことで、この隣接項目（Ｄ）が選択されていることを表示する待機状態に移行する。
【０１０３】
次に、回転操作部材１１１Ｒ，１１１Ｌに対して操作者が所定の回転操作（例えば、１回の節度感が生じる所定角度だけ回転型ホイール１２１が回転する回転操作など）を行うと、例えば、順次、図１３（Ｋ）に示すように、隣接項目（Ｅ）をスクロールにより移動させて表示する。隣接項目（Ｅ）は、隣接項目（Ｄ）に対して回転型ホイール１２１の回転操作方向に対応するスクロール方向（例えば、表示画面の上下方向）に隣接して存在する。
【０１０４】
このとき、例えば選択可否判定部１６６によって隣接項目（Ｅ）が選択可能であると判定されると、第２スクロール速度に設定すると共に、この隣接項目（Ｅ）の輝度やコントラストや色の彩度を規定値に設定する。第２スクロール速度は、隣接項目（Ｅ）をスクロールにより移動させるスクロール速度を第１スクロール速度よりも速い。
【０１０５】
そして、例えば、図１３（Ｌ）に示すように、隣接項目（Ｅ）を選択位置１１３Ａで停止させる。次に、例えば、図１３（Ｍ）に示すように、隣接項目（Ｅ）に所定の強調表示を行なうことで、この隣接項目（Ｅ）が選択されていることを表示する待機状態に移行する。
【０１０６】
上述したように、本実施の形態による回転入力装置１１０によれば、複数の項目のスクロール表示を行なう際に、選択不可の項目を間引きすること無しに操作者に視認させることができる。さらに、選択不可の項目は回転操作部材１１１Ｒ，１１１Ｌに１回の節度感が付与される所定角度の回転操作のみで通過させて、次に選択可能な項目を選択位置まで自動的にスクロールさせることができ、操作性を向上させることができる。
【０１０７】
さらに、選択可否判定部１６６により選択不可であると判定された項目と選択可能であると判定された項目とで視覚的に異なる表示状態になる。これにより、選択不可である項目の内容をより視認し易くすることができると共に、選択位置を通過した項目が選択不可であることを操作者に瞬時に認識させることができ、利便性を向上させることができる。
さらに、選択可能である項目へのスクロールに比べて、選択不可である項目へのスクロールのスクロール速度が遅い。これにより、選択不可である項目の内容を視認可能な時間を確保しつつ、次の選択可能な項目までの移動時間を短縮することができ、利便性を向上させることができる。
【０１０８】
なお、上述した第２の実施の形態において、機器制御部１６２は、選択可否判定部１６６により選択可能であると判定される項目間のスクロールに要するスクロール時間を、選択可否判定部１６６により選択不可であると判定される項目（選択不可項目）が存在するか否かにかかわらずに一定となるようにして、スクロール速度を制御してもよい。
例えば、機器制御部１６２は、選択可否判定部１６６により選択可能であると判定されて選択位置に表示されている項目（第１の選択可能項目）を選択位置から移動させる。次に選択可否判定部１６６により選択可能であると判定された項目（第２の選択可能項目）を選択位置に移動させるまでに要するスクロール時間を、第１の選択可能項目と第２の選択可能項目との間に選択可否判定部１６６により選択不可であると判定される項目（選択不可項目）が存在するか否かにかかわらずに一定となるようにして、スクロール速度を制御する。
【０１０９】
例えば、機器制御部１６２は、選択不可項目が無い場合の第１の選択可能項目から第２の選択可能項目までのスクロールに対しては、スクロール速度Ｖａおよびスクロール時間Ｔａを設定する。
そして、例えば、第１の選択可能項目と第２の選択可能項目との間に１つの選択不可項目が存在する場合には、第１の選択可能項目から選択不可項目までのスクロールに対して第１スクロール速度Ｖｂ１および第１スクロール時間Ｔｂ１を設定し、選択不可項目から第２の選択可能項目までのスクロールに対して第２スクロール速度Ｖｂ２および第２スクロール時間Ｔｂ２を設定する。
ここで、上述したように第２スクロール速度Ｖｂ２は第１スクロール速度Ｖｂ１よりも速いので、Ｖａ＜Ｖｂ１＜Ｖｂ２となり、第１の選択可能項目から第２の選択可能項目までのスクロール時間は一定なので、Ｔａ＝Ｔｂ１＋Ｔｂ２となる。
【０１１０】
なお、上述した各実施の形態において、回転入力装置１１０は、車両以外の他の機器に搭載されてもよい。
【０１１１】
また、車両用操作装置に係る他の態様としては、複数の項目をスクロール表示し、前記複数の項目のうち選択された選択項目が所定の選択位置で所定の表示状態で停止した時に、前記選択項目が選択されていることを示す表示を行う表示手段と；回転することによって前記複数の項目を操作する操作手段と；前記操作手段の回転に応じて前記表示手段の前記スクロール表示を制御する制御手段と；前記選択位置に表示されている前記項目に隣接する隣接項目のうち、前記操作手段の回転方向と対応するスクロール方向に存在する前記隣接項目が選択可能な状態であるか否かを判定する選択可否判定手段と；を備え：前記操作手段が、前記回転の所定角度毎に節度感を付与する節度感付与機構を有し；前記制御手段は、前記操作手段が前記所定角度だけ回転したときに、前記選択可否判定手段により選択可能であると判定された第１隣接項目を前記選択位置で停止させ、前記選択可否判定手段により選択不可であると判定された第２隣接項目を視認可能な表示状態で前記選択位置を通過させ、前記選択位置を通過する前記第２隣接項目から前記スクロール方向に順次隣接して存在する順次隣接項目の何れかが前記選択可否判定手段により選択可能であると判定されるまでは、前記順次隣接項目を視認可能な表示状態で前記選択位置を順次通過させ、前記選択可否判定手段により選択可能であると判定された前記順次隣接項目を前記選択位置で停止させても良い。
また、車両用操作装置に係る他の態様としては、前記制御手段は、前記第２隣接項目が前記表示手段の前記選択位置を通過する際に、前記第１隣接項目を前記第２隣接項目と視覚的に異なる表示状態で前記選択位置に所定時間だけ停止させた後に、前記第１隣接項目に隣接する前記順次隣接項目を前記選択位置にスクロールにより表示させるスクロール表示制御を行っても良い。
また、車両用操作装置に係る他の態様としては、前記制御手段は、前記選択位置に表示されている前記項目が前記選択位置から移動して、前記第２隣接項目が前記選択位置を通過して前記選択位置に移動する第１スクロール速度に比べて、前記選択位置に表示されている前記項目が前記選択位置から移動して、前記第１隣接項目が前記選択位置で停止して前記選択位置に移動する第２スクロール速度の方が速くなるように前記スクロール表示を制御しても良い。
【符号の説明】
【０１１２】
１０  車両用操作装置
１１Ｌ  左側回転操作部材（スイッチ）
１１Ｒ  右側回転操作部材（スイッチ）
１２  車載機器
１３  表示装置
１４  処理装置
３１  ステアリングホイール
５１Ａ  表示画面
６３  表示制御部（表示制御手段）
１１０  回転入力装置（車両用操作装置）
１１１Ｒ，１１１Ｌ  回転操作部材（操作手段）
１１２  車載機器
１１３  表示装置（表示手段）
１１４  処理装置
１１５  車両状態センサ
１６３  表示制御部（制御手段）
１６６  選択可否判定部（選択可否判定手段）
【図１】
0005456899.tif 000002
【図２】
0005456899.tif 000003
【図３】
0005456899.tif 000004
【図１０】
0005456899.tif 000005
【図１１】
0005456899.tif 000006
【図１２】
0005456899.tif 000007
【図４】
0005456899.tif 000008
【図５】
0005456899.tif 000009
【図６】
0005456899.tif 000010
【図７】
0005456899.tif 000011
【図８】
0005456899.tif 000012
【図９】
0005456899.tif 000013
【図１３】
0005456899.tif 000014